(57)【要約】【課題】  木造建物の外壁に石材パネルを係止レールで横張りする際に、石材パネルを、パネル割付けに応じて施工現場で切断加工しても、施工現場での新規な係合溝の作成を必要とせず、横張り係止可能とする。【解決手段】  横張り用石材パネルに、上下面のみならず、左右側面にも、上下面と同一構造の嵌合溝ＧＳを予め配設しておき、パネルの施工現場で、必要に応じて石材パネルを切断加工し、係止用レール９，１１、及び切断レール片９０，１１０を用いて、上側面の嵌合溝ＧＵを喪失した加工石材パネルＰａ２，Ｐａ３を、係止用レール片９０及び１１０の縦配置によって、側面嵌合溝ＧＳで係止保持して、下面及び両側面の３辺で係止保持する。【選択図】図１
0003123846.tif 000002
【実用新案登録請求の範囲】
【請求項１】
木造躯体（ＦＷ）の外面に、係止用のレール（９，１１）を水平配置し、該レール（９，１１）に石材パネル（Ｐａ，Ｐｂ）を横張り係止した外壁への石材パネル取付構造であって、石材パネルとしては、上下、左右各側面に嵌合溝（ＧＵ，ＧＤ，ＧＳ）を備えた横長矩形の基本Ａパネル（Ｐａ）と、基本Ａパネル（Ｐａ）の一側面から、嵌合溝の存在しない延長部（ＢＳ）を延出した横長矩形の基本Ｂパネル（Ｐｂ）とを用い、係止用レールとしては、石材パネル（Ｐａ，Ｐｂ）の上面嵌合溝（ＧＵ）及び下面嵌合溝（ＧＤ）に係止するＨ型レール（９）と、石材パネル（Ｐａ，Ｐｂ）の下面嵌合溝（ＧＤ）に係止するＬ型レール（１１）とを用いて、石材パネル（Ｐａ，Ｐｂ）を、基本Ｂパネル（Ｐｂ）の延長部（ＢＳ）が窓開口部（Ｏ）の外壁側縁（ＷＥ）に位置するように横張りし、窓開口部（Ｏ）の上縁（ＯＵ）、及び／又は、下縁（ＯＤ）では、基本Ｂパネル（Ｐｂ）の延長部（ＢＳ）をアングル形態で切除した加工Ｂパネル（Ｐｂ２，Ｐｂ３）の切断側面（ＣＶ，ＣＨ）に、基本Ａパネル（Ｐａ）の上側を切除した加工Ａパネル（Ｐａ４）を衝合配置して窓開口部（Ｏ）と寸法整合し、該加工Ａパネル（Ｐｂ４）の両側面を、垂直配置したＬ型レール片（１１０）及びＨ型レール片（９０）を介して係止保持した、外壁への石材パネル（Ｐａ，Ｐｂ）の取付構造。
【請求項２】
加工Ａパネル（Ｐａ４）の高さ（ＨＰ´）が、対応加工Ｂパネル（Ｐｂ２，Ｐｂ３）の切断側面（ＣＶ）の高さ（ｙ４，ｙ５）と同寸であり、Ｌ型レール片（１１０）を、加工Ｂパネルの切断側面（ＣＶ）に当接配置した、請求項１の取付構造。
【請求項３】
Ｈ型レール（９）は、定着板（９ａ）と、フランジ（９ｂ）と、ウエブ（９ｃ）が上部嵌合突起（Ｐｕ）と下部嵌合突起（Ｐｄ）を備えた断面Ｈ型であり、Ｌ型レール（１１）は、定着板（１１ａ）と、フランジ（１１ｂ）と、上部嵌合突起（Ｐｕ）とを備えた断面Ｌ型であり、Ｈ型レール片（９０）は、Ｈ型レール（９）の切断短寸化片であり、Ｌ型レール片（１１０）は、Ｌ型レール（１１）の切断短寸化片である、請求項１又は２の取付構造。
【請求項４】
Ｈ型レール（９）及びＨ型レール片（９０）のウエブ（９ｃ）には、断面Ｃ型緩衝材（１０）を嵌着し、Ｌ型レール（１１）及びＬ型レール片（１１０）の上部嵌合突起（Ｐｕ）には、断面Ｕ型緩衝材（１２）を嵌着した、請求項１、又は２、又は３の取付構造。
【請求項５】
石材パネル（Ｐａ，Ｐａ４，Ｐｂ，Ｐｂ２，Ｐｂ３）は、嵌合溝（ＧＵ，ＧＤ，ＧＳ）を弾性緩衝材（１０，１２）によって、レール（９，１１，９０，１１０）と水密的に嵌合させた、請求項１乃至４のいずれか１項の取付構造。
【請求項６】
柱（１）、間柱（２）、土台（１３）の外面に透湿防水シート（５）を張設し、透湿防水シート（５）の面上から通気材としての縦縁（６，７）、横縁（８）を、柱（１）、間柱（２）上に取付け、縦縁（６，７）及び横縁（８）上に、Ｈ型レール（９）、Ｌ型レール（１１）、Ｈ型レール片（９０）及びＬ型レール片（１１０）を取付けた、請求項１乃至５のいずれか１項の取付構造。
【請求項７】
Ｈ型レール（９）及びＬ型レール（１１）の水平配置は、水抜き用の間隔（ＳＰ）を形成して取付けた、請求項１乃至６のいずれか１項の取付構造。
【請求項８】
石材パネル（Ｐａ，Ｐｂ）は、表面が鏡面加工であり、裏面が粗面加工である、請求項１乃至７のいずれか１項の取付構造。
【考案の詳細な説明】
【技術分野】
【０００１】
本考案は、木造建築物の外壁に、石材パネルを外装材として張設する取付構造に関するものであって、建築の技術分野に属するものである。
【背景技術】
【０００２】
石材パネルを外装材として木造建築物の外壁に張設することは、例えば、従来例の特許文献１に示す如く周知である。
図６は従来例の説明図であって、図６（Ａ）は、パネル張設用Ｈ型レールの斜視図、図６（Ｂ）は、石材パネル張設説明図、図６（Ｃ）は、石材パネル張設状態断面図である。
即ち、従来例は、図６（Ａ）に示す如く、取付用フランジと、水抜き孔を穿設した中間リブと、上下嵌合突片とを備えたＨ型レールを、図６（Ｂ），（Ｃ）に示す如く、木造躯体にビスで固着し、上縁には上嵌合凹部を、下縁には下嵌合凹部を配設した石材パネルの、上嵌合凹部をＨ型レールの下部嵌合突起に、下嵌合凹部をＨ型レールの上部嵌合突起に嵌合して、石材パネルを外装材として張設するものである。
【特許文献１】実用新案登録第３０９００９４号公報（平成１４年１１月２２日発行）
【考案の開示】
【考案が解決しようとする課題】
【０００３】
木造住宅の外壁には、窓、玄関ドア等の開口部があり、これら開口部は高さ、幅等が比較的自由に設計される。
そして、図６の従来例にあっては、石材パネルが上下の嵌合凹部（溝）を介してＨ型レールに嵌合係止するため、設定された窓の上下寸法に応じて、窓の上下の石材パネルの上縁、及び／又は、下縁を切断加工する必要が生じる。
そして、嵌合凹部を備えた上縁又は下縁を切断加工すれば、該切断加工した石材パネルは、切断除去部で嵌合凹部を喪失するため、再度、切断加工縁に、嵌入凹部を加工形成する必要があり、各種の建物に対応させるためには、基準石材パネルを、その都度、施工現場で、切断加工、及び溝加工する必要があり、石材パネルの取付け施工性が悪い。
【０００４】
また、Ｈ型レールには水抜き孔があるものの、石材パネルの溝に雨水が浸入するため、寒冷地にあっては、融雪の凍結、融解、の反復による凍害が発生し、外壁としての石材パネルを破壊することとなる。
また、地震、風等での住宅の揺れにより、Ｈ型レールと石材パネルとの摩擦での音鳴りも生じる。
本考案は、従来例のこれら問題点を、一挙に解決又は改善するものであり、石材パネルを用いる外装仕上げでありながら、外壁の開口部（窓、玄関）の寸法変化にも合理的に対処出来るように、施工性良く、且つ、凍害損傷の発生も抑制した、取付構造を提供するものである。
【課題を解決するための手段】
【０００５】
本考案は、例えば図１に示す如く、木造躯体ＦＷの外面に、係止用レール９，１１を水平配置し、該レール９，１１に石材パネルＰａ，Ｐｂを横張り係止した外壁への石材パネル取付構造であって、石材パネルとしては、上下、左右各側面に嵌合溝ＧＵ，ＧＤ，ＧＳを備えた横長矩形の基本ＡパネルＰａと、基本ＡパネルＰａの一側面から、嵌合溝の存在しない延長部ＢＳを延出した横長矩形の基本ＢパネルＰｂとを用い、係止用レールとしては、石材パネルＰａ，Ｐｂの上面嵌合溝ＧＵ及び下面嵌合溝ＧＤに係止するＨ型レール９と、石材パネルＰａ，Ｐｂの下面嵌合溝ＧＤに係止するＬ型レール１１とを用いて、石材パネルＰａ，Ｐｂを、基本ＢパネルＰｂの延長部ＢＳが窓開口部Ｏの外壁側縁ＷＥに位置するように横張りし、窓開口部Ｏの上縁ＯＵ、及び／又は、下縁（ＯＤ）では、基本ＢパネルＰｂの延長部ＢＳをアングル形態で切除した加工ＢパネルＰｂ２，Ｐｂ３の切断側面ＣＶ，ＣＨに、基本ＡパネルＰａの上側を切除した加工ＡパネルＰａ４を衝合配置して窓開口部Ｏと寸法整合し、該加工ＡパネルＰｂ４の両側面を、垂直配置したＬ型レール片１１０及びＨ型レール片９０を介して係止保持した、外壁への石材パネルＰａ，Ｐｂの取付構造である。
【０００６】
この場合、Ｈ型レール９、及びＬ型レール１１は、石材パネルＰａ，Ｐｂを係合保持する、強度、耐久性を備え、且つ、切断加工可能であれば、材料は問わないが、典型的には、アルミ押出成形品である。
また、石材パネルＰａ，Ｐｂは、周側縁に嵌合溝が形成出来る材質であれば、模造石材でも、天然石材でも良いが、典型的には、厚さ１．７cmの天然の花崗岩（御影石）パネルである。
そして、上下の嵌合溝ＧＵ，ＧＤ、及び左右側面の嵌合溝ＧＳは、同一形態（標準：幅３．５mm、深さ５mm）とすれば良い。
また、窓開口部側縁ＷＥとは、窓開口部Ｏの両側の外壁側縁を意味するものである。
また、嵌合溝の存在しない延長部ＢＳとは、例えば図３（Ｄ）に示す如く、平坦上面ＦＵ、平坦下面ＦＤ及び平坦側面ＦＳを備えた長さＬｘ（標準：１４．６cm）の部分である。
【０００７】
本考案にあっては、基本パネルＰａ，Ｐｂ、及び各加工パネルの、各上面嵌合溝ＧＵ、下面嵌合溝ＧＤ、左右の嵌合溝ＧＳが、共に、Ｈ型レール９の上部嵌合突起Ｐｕ、下部嵌合突起Ｐｄ、及びＬ型レール１１の上部嵌合突起Ｐｕと嵌合係止で保持出来るため、建物外壁面の被覆が、基本パネルＰａ，Ｐｂのみの割付けで被覆可能な部位（場所）にあっては、窓開口部Ｏの外壁側縁ＷＥには、基本パネルＰｂの延長部ＢＳの平坦側面ＦＳが位置するように配置して、最下端のパネルＰａ，Ｐｂの下面嵌合溝ＧＤをＬ型レール１１で係止支承し、上下パネル間にはＨ型レール９を配置して、Ｈ型レール９の、下部嵌合突起Ｐｄを下方パネルの上面嵌合溝ＧＵに、上部嵌合突起Ｐｕを上方パネルの下面嵌合溝ＧＤに、嵌合係止する配置施工を反復すれば良いが、木造住宅の外壁の窓、玄関ドア等の開口部は、配置位置、及び高さ寸法を比較的自由に配置することが多い。
【０００８】
そして、窓開口部Ｏ等、開口部の存在で、基本ＡパネルＰａと、基本ＢパネルＰｂのみでは割付け被覆出来ない場合、例えば、図１の如く、窓開口部Ｏの上下が基本ＡパネルＰａに掛かる場合（パネルが窓開口部Ｏに突出する場合）は、側方の基本ＢパネルＰｂを、延長部ＢＳをアングル形態で切除して加工ＢパネルＰｂ２，Ｐｂ３とし、窓開口部Ｏの上下の基本ＡパネルＰａは、高さＨＰ´を低くした加工ＡパネルＰａ４として加工Ｂパネルの切断側面に衝合配置し、窓開口部Ｏの上下一方が基本ＡパネルＰａに掛かる場合は、窓開口部Ｏに掛かる基本ＡパネルＰａのみを加工ＡパネルＰａ４とし、対応基本ＢパネルＰｂも、延長部ＢＳをアングル形態で切除して加工Ｂパネルとすれば、窓開口部Ｏと、横張りパネルとは寸法整合可能である。
【０００９】
そして、本考案にあっては、施工現場で、ポータブル切断機によって、各基本パネルＰａ，Ｐｂを適宜切断加工作成し、例えば、図１の窓台４の下面の加工ＡパネルＰａ４の如く、パネル上側が、水平配置するＨ型レールで保持出来ない場合は、加工ＡパネルＰａ４の左側面には、図４に示す如く、加工ＢパネルＰｂ３の切断側面ＣＶにＬ型レール片１１０を縦配置し、加工ＡパネルＰａ４の右側面には、図１に示す如く、Ｈ型レール片９０を縦配置し、Ｌ型レール片１１０及びＨ型レール片９０の各嵌合突起Ｐｕ，Ｐｄを、加工Ａパネルの側面嵌合溝ＧＳに嵌合係止すれば、該パネルＰａ４は、下側面と左右両側面の３辺で係止保持出来る。
【００１０】
従って、基本ＡパネルＰａと基本ＢパネルＰｂのみのパネル割付けで周囲が被覆出来ない窓開口部Ｏにあっても、基本ＡパネルＰａと基本ＢパネルＰｂと、Ｈ型レール９と、Ｌ型レール１１、及びポータブル切断機を準備するだけで、基本パネルＰａが側面にも嵌合溝ＧＳを備えているため、各施工現場では、ポータブル切断機により、石材パネルＰａ，Ｐｂの必要に応じた切断加工、及びＨ型レール９、Ｌ型レール１１の必要に応じた切断加工で、加工石材パネルの外壁面への横張り配置施工が可能となり、窓開口部側縁ＷＥが平坦側面ＦＳで仕上がり、美観に優れた石材パネル外装が、配置施工現場での、石材パネルへの嵌合溝の加工作業を必要とせずに、単なるポータブル切断機での切断加工作業のみで自在に施工可能となり、作業性良く実施出来る。
尚、玄関の開口部や、外壁の出隅での壁側縁にも、基本ＢパネルＰｂの延長部ＢＳが位置するように石材パネルを張設すれば、全外壁の側縁は、窓開口部側縁同様に、十分な強度を備えた、きれいな外観に仕上がる。
【００１１】
また、本考案の取付構造にあっては、加工ＡパネルＰａ４の高さＨＰ´が、対応加工ＢパネルＰｂ２，Ｐｂ３の切断側面ＣＶの高さｙ４，ｙ５と同寸であり、Ｌ型レール片１１０を、加工Ｂパネルの切断側面ＣＶに当接配置するのが好ましい。
この場合、たとえば図１に於いて、加工ＡパネルＰａ４の対応加工Ｂパネルは、加工ＡパネルＰａ４を衝合する側方のパネルである。
また、Ｌ型レール片１１０は、図４に示す如く、フランジ１１ｂを切断側面ＣＶに当接して縦縁６にビス穴Ｈ１１を介してビス止めすれば、上部嵌合突起Ｐｕへの、加工ＡパネルＰａ４の側面嵌合溝ＧＳの係合が可能となる。
従って、加工ＡパネルＰａ４の高さＨＰ´を窓開口部Ｏと寸法整合させれば、加工ＢパネルＰｂ２，Ｐｂ３のアングル形態切除が適切に実施出来、窓開口部Ｏの、上縁ＯＵ及び下縁ＯＤで、加工ＡパネルＰａ４がきれいに寸法整合した構造となる。
【００１２】
また、Ｈ型レール９は、図２（Ａ）に示す如く、定着板９ａと、フランジ９ｂと、ウエブ９ｃから成り、ウエブ９ｃが上部嵌合突起Ｐｕと下部嵌合突起Ｐｄを備えた断面Ｈ型であり、Ｌ型レール１１は、定着板１１ａと、フランジ１１ｂと、上部嵌合突起Ｐｕとを備えた断面Ｌ型であり、Ｈ型レール片９０は、Ｈ型レール９の切断短寸化片であり、Ｌ型レール片１１０は、Ｌ型レール１１の切断短寸化片であるのが好ましい。
この場合、Ｈ型レール９の上部嵌合突起Ｐｕ、下部嵌合突起Ｐｄ、及びＬ型レール１１の上部嵌合突起Ｐｕは、共に、同一厚さ（標準：１．５mm）で同一突出長（標準：４mm）とすれば良い。
従って、水平配置用のＨ型レール９も、Ｌ型レール１１も、石材パネルＰａ，Ｐｂのどの嵌合溝ＧＵ，ＧＤ，ＧＳにも嵌合係止出来るため、必要に応じて、Ｈ型レール９及びＬ型レール１１を切断加工して縦配置用のＨ型レール片９０及びＬ型レール片１１０とし、適宜、縦縁６，７及び横縁８上に配置使用出来、図１の如く、高さＨＰの石材パネルＰａを必要に応じた高さＨＰ´に切断加工して配置施工する場合も、各レール９，１１，９０，１１０の適切な配置により、基本パネル及び加工パネルの張設が作業性良く実施出来る。
【００１３】
また、本考案の実施に際しては、図２に示す如く、Ｈ型レール９及びＨ型レール片９０のウエブ９ｃには、断面Ｃ型緩衝材１０を嵌着し、Ｌ型レール１１及びＬ型レール片１１０の上部嵌合突起Ｐｕには、断面Ｕ型緩衝材１２を嵌着するのが好ましい。
この場合、緩衝材は、滑り易い弾性材が良く、典型的には、軟質塩化ビニル材（標準肉厚：１mm）である。
従って、緩衝材１０，１２は、パネルＰａ，Ｐｂの繊細な溝（標準：幅３．５mm、深さ５mm）を損傷することなく嵌合突起Ｐｕ，Ｐｄの嵌入を可能とし、金属（アルミ）製のレール９，１１及びレール片９０，１１０と、石材パネルとのガタツキによる音鳴りが防止出来、地震、風等による住宅の揺れに対しても、音鳴りが抑制出来る。
【００１４】
また、石材パネルＰａ，Ｐａ４，Ｐｂ，Ｐｂ２，Ｐｂ３は、図４、図５に示す如く、嵌合溝ＧＵ，ＧＤ，ＧＳを弾性緩衝材１０，１２によって、レール９，１１，９０，１１０と水密的に嵌合させるのが好ましい。
この場合、弾性緩衝材１０，１２（標準：肉厚１mm）が、図４、図５の如く、レール９，１１、レール片９０，１１０と、石材パネルとの界面ｆ１を閉止するため、地震時等の石材パネルＰａ，Ｐａ４，Ｐｂ，Ｐｂ２，Ｐｂ３の動きが抑制出来ると共に、各石材パネルの嵌入溝ＧＵ，ＧＤ，ＧＳ内への水溜りの生成が抑制出来、特に寒冷地での、融雪の凍結、融解、の反復による凍害の発生が抑制出来、外壁、即ち、石材パネルＰａ，Ｐｂ、の凍害破壊が抑制出来る。
【００１５】
また、本考案の石材パネルの取付け施工は、図１に示す如く、柱１、間柱２、土台１３の外面に透湿防水シート５を張設し、透湿防水シート５の面上から通気材としての縦縁６，７、横縁８を、柱１、間柱２上に取付け、縦縁６，７及び横縁８上に、Ｈ型レール９、Ｌ型レール１１、Ｈ型レール片９０及びＬ型レール片１１０を取付けるのが好ましい。
この場合、各レール９，１１、レール片９０，１１０の選択配置は、防水シートを損傷することなく、縦横胴縁を介した柱、間柱への強固なビス固着が可能であり、且つ、各通気胴縁としての縦縁６，７、横縁８の介在によって、石材パネル内面の通気性が確保出来、外壁が、石材パネル張着壁でありながら、家屋内への外気温の影響が抑制出来る。
【００１６】
また、本考案の石材パネル取付構造の実施に際しては、Ｈ型レール９及びＬ型レール１１の水平配置は、例えば図４に示す如く、水抜き用の間隔ＳＰを形成して施工するのが好ましい。
この場合、典型的には、柱１上の縦縁６の中心間距離は９１０mmであるから、Ｈ型レール９及びＬ型レール１１の標準長さを９０５mmとすれば、各レール相互の横間隔ＳＰは、縦縁６上に５mm確保出来る。
従って、外壁外装材としての、石材パネルの裏面に浸入した雨水は、透湿防水シート５の外面の縦縁６上の間隔ＳＰを介して下方に排出出来る。
【００１７】
また、本考案に適用する石材パネルＰａ，Ｐｂは、表面が鏡面加工であり、裏面が粗面加工であるのが好ましい。
この場合は、石材パネルＰａ，Ｐｂの表裏を所望の意匠効果によって使い分け出来、側面嵌合溝ＧＳの配置によるパネルＰａ，Ｐｂの反転使用と相俟って、自在なパネル張設が可能となり、意匠設計面での自由度が向上する。
【考案の効果】
【００１８】
本考案の石材パネル取付構造は、上下、左右側面に嵌合用溝ＧＵ，ＧＤ，ＧＳを備えた基本ＡパネルＰａと、上下と一側に嵌合用溝ＧＵ，ＧＤ，ＧＳを備え、他側に嵌合溝無しの延長部ＢＳを備えた基本ＢパネルＰｂとの２種類のパネルを用い、係止用レールとして、Ｈ型レール９とＬ型レール１１との２種類のレールを用い、ポータブル切断機を準備するだけで、対象建物の外壁に対するパネルの割付けによって、必要に応じて、基本ＡパネルＰａ及び基本ＢパネルＰｂを切断加工し、Ｈ型レール９と、Ｌ型レール１１とからも、必要に応じて、切断短寸化したＨ型レール片９０と、Ｌ型レール片１１０とを作成することにより、各種の上下寸法の開口部（窓、玄関等）を備えた各種の壁面への対処が可能となり、施工現場で、自在に、寸法変化に対処しながらパネル張りが、施工性良く出来る。
【００１９】
しかも、外壁の窓開口部Ｏの外壁側縁ＷＥは、側面嵌合溝ＧＳの無い平坦側面ＦＳの露出となり、きれいに仕上げることが出来る。
従って、本考案によれば、工場生産品としての、基本ＡパネルＰａと基本ＢパネルＰｂと、Ｈ型レール９とＬ型レール１１とを、ポータブル切断機と共に、現場に搬入し、対象建物の窓開口部Ｏの異なる上下寸法には、基本ＡパネルＰａと基本ＢパネルＰｂと、Ｈ型レール９及びＬ型レール１１との単なる切断作業だけで対応施工出来るため、石材パネルＰａ，Ｐｂによる外壁の横張り施工が、作業性良く実施出来る。
【考案を実施するための最良の形態】
【００２０】
〔石材パネルＰａ，Ｐｂ（図３）〕
石材パネルは、基本ＡパネルＰａと、基本ＢパネルＰｂとの２種を用意する。
図３（Ａ）は、基本ＡパネルＰａの斜視図であり、図３（Ｄ）は、基本ＢパネルＰｂの斜視図である。
基本ＡパネルＰａは、図３（Ａ）に示す如く、幅Ｌａが４５．４cm、高さＨＰが２７cmで、厚さ（肉厚）ＴＰが１．７cmの、横長矩形の天然花崗岩のパネルであり、上側面ＳＵには嵌合溝ＧＵを、下側面ＳＤには嵌合溝ＧＤを、左側面ＳＬ及び右側面ＳＲには嵌合溝ＧＳを連通形態で備えたものであって、各嵌合溝ＧＵ，ＧＤ，ＧＳは、幅３．５mm、深さ５mmである。
【００２１】
基本ＢパネルＰｂは、図３（Ｄ）に示す如く、基本ＡパネルＰａの一側に、長さＬｘが１５．６cmの延長部ＢＳを延出形成したものであり、延長部ＢＳの、上面は平坦面ＦＵで、側面も平坦面ＦＳで、下面も平坦面ＦＤである。
即ち、基本ＢパネルＰｂは、高さＨＰが２７cm、幅Ｌｂが６０cmで、長さＬｘが１４．６mmの延長部ＢＳのみ、上下及び側面が溝無しの平坦面とした、横長矩形の花崗岩パネルである。
そして、加工Ａパネルとしては、例えば、図３（Ｇ）に示す如く、基本ＡパネルＰａの上面を、高さｙ６で平行に切断除去すれば、上側面が、嵌合溝の無い平坦な切断側面ＣＨを備え、左右側面が嵌合溝ＧＳを、下面が嵌合溝ＧＤを備えた、高さＨＰ´の加工ＡパネルＰａ４となる。
【００２２】
また、加工Ｂパネルは、図３（Ｅ）に示す如く、基本ＢパネルＰｂの延長部ＢＳを、上方から、高さｙ４で、アングル状に切断除去すれば、一側面がアングル切断側面ＣＶ，ＣＨ及び延長部ＢＳの側面ＦＳを備えた加工ＢパネルＰｂ２となり、図３（Ｆ）の如く、基本ＢパネルＰｂの延長部ＢＳを、下方から、高さｙ５で、アングル状に切断除去すれば、加工ＢパネルＰｂ３となる。
この場合、加工ＢパネルＰｂ２，Ｐｂ３の切断側面ＣＶの高さｙ４，ｙ５は、それぞれ、基本ＡパネルＰａの高さＨＰを切断して高さＨＰ´に短寸化した加工ＡパネルＰａ４の高さと同寸とする。
【００２３】
尚、必要に応じて、図３（Ｂ），（Ｃ）の如く、基本ＡパネルＰａの下面、又は上面をアングル形状に切断除去すれば加工ＡパネルＰａ２，Ｐａ３となり、本願考案とは別の実施形態での、窓開口部Ｏ、又は玄関開口部（図示せず）への適用が可能となる。
そして、これら加工パネルの切断作成に際し、高さｙ２〜ｙ６は、パネル割付けから自在に決定するものである。
また、壁面へのパネルの横方向割付けに応じて、基本ＡパネルＰａ、基本ＢパネルＰｂの幅Ｌａ，Ｌｂの切断短寸化も可能であり、この場合は、各パネルＰａ，Ｐｂの上面ＳＵ及び下面ＳＤの各嵌合溝ＧＵ，ＧＤは存在するため、石材パネルの横張りは、水平配置のＨ型レール９及びＬ型レール１１の寸法調整で対処すれば良い。
【００２４】
〔係止用レール（図２）〕
石材パネルＰａ，Ｐｂを係止保持するレール９，１１は、木造躯体ＦＷにビス止めするものであり、Ｈ型レール９は、上下のパネルを係止保持するものであり、Ｌ型レール１１は、最下端に配置して、最下端のパネルの下側面を支承保持するものであり、図２（Ａ）は、Ｈ型レール９の斜視図、図２（Ｃ）は、Ｌ型レール１１の斜視図である。
Ｈ型レール９は、図２（Ａ）に示す如く、取付用のビス止め穴Ｈ９を備えた定着板９ａと、中間の横方向突出のフランジ９ｂと、フランジ９ｂの先端の、上部嵌合突起Ｐｕと下部嵌合突起Ｐｄから成るウエブ９ｃ、とを備えた断面Ｈ型のアルミ押出成形品（標準長：９０５mm）であり、ウエブ９ｃは、厚さ１．５mm、上下幅ＣＷが１０mmで、上下嵌合突起Ｐｕ，Ｐｄは、それぞれ、４mm突出したものである。
そして、Ｈ型レール９の使用に際しては、図２（Ｂ）に示す如く、肉厚１mmの、軟質塩化ビニル製の、断面Ｃ型の緩衝材１０をウエブ９ｃに嵌着する。
【００２５】
また、Ｌ型レール１１は、図２（Ｃ）に示す如く、木造躯体ＦＷへの取付用のビス穴Ｈ１１を備えた定着板１１ａと、底面を形成するフランジ１１ｂと、フランジ１１ｂから上方に屈曲突出する上部嵌合突起Ｐｕ、とを備えた、断面Ｌ型のアルミ押出成形品であり、標準長は、Ｈ型レール９と同長の９０５mmで、上部嵌合突起Ｐｕは、Ｈ型レール９の上部嵌合突起Ｐｕと同じく、１．５mm厚で、４mm突出したものである。
そして、使用に際しては、図２（Ｄ）の如く、肉厚１mmの、軟質塩化ビニル製の、断面Ｕ型の緩衝材１２を上部嵌合突起Ｐｕに嵌着する。
【００２６】
即ち、Ｈ型レール９の、上部嵌合突起Ｐｕも、下部嵌合突起Ｐｄも、Ｌ型レール１１の上部嵌合突起Ｐｕも、共に、突出高さが４mmで、共に、肉厚１mmの軟質塩化ビニル緩衝材を嵌着して、各石材パネルＰａ，Ｐｂの幅３．５mm、深さ５mmの嵌合溝ＧＵ，ＧＤ，ＧＳに、弾性的に密着嵌合するものである。
また、Ｈ型レール片９０は、図１に示す如く、縦縁６，７上に縦配置して、両側のパネルの側面嵌合溝ＧＳを係止保持するものであって、Ｈ型レール９を切断短寸化したものであり、Ｌ型レール片１１０は、図４に示す如く、縦縁６，７上に縦配置して、一側方のパネルの側面嵌合溝ＧＳのみを係止保持するものであって、Ｌ型レール１１を切断短寸化したものである。
【００２７】
〔石材パネルの取付け（図１）〕
図１に示す如く、土台１３上に、柱１を軸心間距離９１０mmで配置し、柱１間には、間柱２を配置し、窓開口部Ｏの、上側には窓まぐさ３、下側には窓台４を配置し、柱１及び間柱２の外面には、透湿防水シート５を張り巡らせ、透湿防水シート５の外側から、柱１、間柱２上に、通気層を確保するための、縦縁６，７を釘打ち固定し、外壁最下端の水切り１４上で、Ｌ型レール１１を縦縁６，７にビス止着する。
この場合、Ｌ型レール１１の長さは、Ｈ型レール９と同長の９０５mmであり、柱１の軸心間距離は９１０mmであるため、各Ｌ型レール１１相互の端部には、Ｈ型レール９相互の端部同様に、図４に示す如く、５mmの間隔ＳＰが形成出来、該間隔ＳＰが下端の水切り１４への排水用水抜きとなる。
【００２８】
そして、Ｌ型レール１１をスターターとして、外壁の出隅及び玄関開口部（図示せず）でも、窓開口部Ｏの側縁同様に、基本ＢパネルＰｂの延長部ＢＳが来るように、パネルＰｂの下面の嵌合溝ＧＤをＬ型レール１１の上部嵌合突起Ｐｕに係合し、基本ＢパネルＰｂに隣接して、基本ＡパネルＰａを、同様に、Ｌ型レール１１上に係合保持して横張りする。
そして、窓開口部Ｏの側縁、玄関開口部及び出隅の側縁（図示せず）では、基本ＢパネルＰｂを、その他の部位では基本ＡパネルＰａを配置しながら、順次、Ｈ型レール９を用いて、下方パネルの上面嵌合溝ＧＵには下部嵌合突起Ｐｄを、上方パネルの下面嵌合溝ＧＤには上部嵌合突起Ｐｕを嵌入して、上下パネルでＨ型レール９を挟んでＨ型レール９を縦縁６，７に固定してパネルの横張り配置施工を実施する。
【００２９】
〔窓開口部（図１）〕
窓開口部Ｏへの石材パネルＰａ，Ｐｂの取付けは、図１に示す、窓開口部Ｏにあっては、窓開口部Ｏの上下寸法が基本ＡパネルＰａの割付け寸法より大であり、窓開口部Ｏの窓台４の下面に配置する基本ＡパネルＰａは、上方が窓台４から上方に突出し、窓まぐさ３上に配置する基本ＡパネルＰａは、下方が窓まぐさ３から下方に突出することとなる。
【００３０】
この場合、図１の窓開口部Ｏの左半の窓台４に掛かる石材パネルにあっては、基本ＡパネルＰａを、図３（Ｇ）に示す如く、上面嵌合溝ＧＵを備えた上側面ＳＵをポータブル切断機（図示せず）で、高さｙ６で平行に切断除去して高さＨＰ´の加工ＡパネルＰａ４とし、該加工ＡパネルＰａ４の側面の、対応基本ＢパネルＰｂは、図４（Ｆ）の如く、加工ＡパネルＰａ４の高さＨＰ´と同寸の高さｙ５で、延長部ＢＳをアングル状に切断除去した加工ＢパネルＰｂ３として、加工ＢパネルＰｂ３の切断側面ＣＶに、図４に示す如く、Ｌ型レール片１１０を当接して縦配置し、加工ＡパネルＰａ４の左側が加工ＢパネルＰｂ３のアングル切除部に嵌まる形態で、加工ＡパネルＰａ４の左側の嵌合溝ＧＳをＬ型レール片１１０に、右側の嵌合溝ＧＳを、図１の如く、Ｈ型レール片９０に係止し、且つ、下側面ＳＤの嵌合溝ＧＤをＨ型レール９上に係止して、加工ＡパネルＰａ４を、下辺と左右辺の３辺で係止保持する。
【００３１】
次いで、窓開口部Ｏの左側の外壁側縁ＷＥを、図１に示す如く、順次、Ｈ型レール９を用いて基本ＢパネルＰｂを上方に接続保持する。
また、窓開口部Ｏの右半にあっても、図示してないが、窓開口部Ｏの左半と同様に、窓開口部Ｏの右側の、外壁側縁ＷＥには、基本ＢパネルＰｂの延長部ＢＳが位置するように、且つ、窓台４の下部にあっては、基本ＡパネルＰａの加工Ａパネルを作成して、下面嵌合溝ＧＤをＨ型レール９で、左側面嵌合溝ＧＳ（ＧＬ）を縦縁７上の垂直配置のＨ型レール片９０で、右側面嵌合溝ＧＳ（ＧＲ）を縦縁６上に、加工ＢパネルＰｂ３の切断側面ＣＶに当接して垂直配置したＬ型レール片１１０（図示せず）で係止保持する。
【００３２】
また、図１の窓開口部Ｏの上部、即ち、窓まぐさ３の前面の、横縁８上への石材パネルの配置は、左半部位では、窓開口部Ｏの外壁側縁ＷＥとしての基本ＢパネルＰｂを、図３（Ｅ）の如く、アングル形態に切断した加工ＢパネルＰｂ２を配置し、加工ＢパネルＰｂ２の切断側面ＣＶに当接して、Ｌ型レール片１１０を、図１の如く、縦縁６上に垂直配置し、加工ＢパネルＰｂ２の切断高さｙ４と同寸の高さＨＰ´に切断した加工ＡパネルＰａ４の、左側の嵌合溝ＧＳをＬ型レール片１１０に、右側の嵌合溝ＧＳを縦縁７上に垂直配置したＨ型レール片９０に係合し、下側の嵌合溝ＧＤをＬ型レール１１に係合して保持する。
即ち、加工ＡパネルＰａ４は、左側下端を加工ＢパネルＰｂ２の水平切断側面ＣＨ上に載置した形態で、左側のＬ型レール片１１０と、右側のＨ型レール片９０と、下辺のＬ型レール１１とで３辺支持する。
【００３３】
そして、図１の右半部位も、左半部位と同様に、左半部位とは、左右対称の加工パネル（図示せず）を用いて配置施工すれば良い。
尚、この場合、窓開口部Ｏには、慣用の窓枠を配置し、窓枠外周と石材パネルの縁辺とはコーキング等で充填施工するため、各加工ＡパネルＰａ３は、ガタツキ無く、必要且つ十分な保持となる。
即ち、窓開口部Ｏの上下間寸法が、基本ＡパネルＰａの割付けと整合しない場合は、窓開口部Ｏの、下側を加工ＡパネルＰａ４とするか、上側を加工ＡパネルＰａ４とするか、或いは、図１の如く、上下を加工ＡパネルＰａ４とし、衝き合わせる基本ＢパネルＰｂも、加工ＡパネルＰａ４に整合してアングル形状に切断加工した加工ＢパネルＰｂ２，Ｐｂ３を採用すれば良い。
【００３４】
〔パネルの保持（図５）〕
石材パネルＰａ，Ｐｂの、上下側面の嵌合溝ＧＵ，ＧＤも、左右側面の嵌合溝ＧＳ（ＧＬ，ＧＲ）も、共に、幅３．５mmで、深さ５mmの溝である。
また、係合用レールとしてのＨ型レール９及びＨ型レール片９０の、上部嵌合突起Ｐｕも、下部嵌合突起Ｐｄも、Ｌ型レール１１の、上部嵌合突起Ｐｕも、共に、厚さ１．５mmで、有効嵌入長としての突出長が４mmである。
そして、各嵌合突起Ｐｕ，Ｐｄは、肉厚１mmの軟質塩化ビニル製の緩衝材１０，１２を被覆するため、緩衝材１０，１２を冠着した嵌合突起Ｐｕ，Ｐｄは、石材パネルＰａ，Ｐｂへの嵌合状態では、厚さ３．５mm、突出長５mmとなる。
【００３５】
従って、緩衝材１０，１２を冠着した係止用の各嵌合突起Ｐｕ，Ｐｄは、図４、図５（Ａ），（Ｂ）に示す如く、各石材パネルＰａ，Ｐｂ、加工パネルＰａ４，Ｐｂ２，Ｐｂ３の嵌合溝ＧＵ，ＧＤと、界面ｆ１を密閉形態で嵌合する。
この場合、緩衝材１０，１２は、軟質塩化ビニルが平滑性及び弾性を備えているため、嵌合突起Ｐｕ，Ｐｄの嵌合溝ＧＵ，ＧＤへの嵌入係止は、スムーズに達成出来る。
そして、嵌合突起Ｐｕ，Ｐｄと嵌合溝ＧＵ，ＧＤとの界面ｆ１が密閉形態となるため、各嵌合溝ＧＵ，ＧＤ内への雨水の浸入も、音鳴りも、抑制出来る。
【００３６】
尚、図４は、Ｌ型レール片１１０の配置状態図であるが、上述の係止レールと石材パネルとの嵌合保持形態は、Ｈ型レール片９０の嵌合突起Ｐｕ，Ｐｄ、及びＬ型レール片１１０の嵌合突起Ｐｕと石材パネルの側縁の嵌合溝ＧＳとの関係でも同一である。
従って、本考案の実施例での、石材パネルと係止レールとの嵌合保持にあっては、地震、風等による住宅の揺れに対しても、石材パネルの金物（係止レール）との摩擦による音鳴りが防止出来、しかも、石材の嵌合溝ＧＵ，ＧＤ，ＧＳへの水の浸入が抑制出来、寒冷地にあっても、凍害の発生が抑制出来る。
【図面の簡単な説明】
【００３７】
【図１】本考案の窓開口部の一部切欠斜視図である。
【図２】係止レール説明図であって、（Ａ）は、Ｈ型レールの斜視図、（Ｂ）は、Ｈ型レール用緩衝材の斜視図、（Ｃ）は、Ｌ型レールの斜視図、（Ｄ）は、Ｌ型レール用緩衝材の斜視図である。
【図３】本考案のパネル斜視図であって、（Ａ）は、基本Ａパネルを、（Ｂ），（Ｃ），（Ｇ）は、基本Ａパネルからの各加工Ａパネルを、（Ｄ）は、基本Ｂパネルを、（Ｅ），（Ｆ）は各加工Ｂパネルを示す図である。
【図４】本考案のＬ型レール片の配置状態説明図である。
【図５】本考案のパネル係止状態説明図であって、（Ａ）は、Ｌ型レールでの取付状態を、（Ｂ）は、Ｈ型レールでの取付状態を示す図である。
【図６】特許文献１の従来例図であって、（Ａ）は、係止用Ｈ型レールの斜視図、（Ｂ）は、パネル係止状態斜視図、（Ｃ）は、パネル係止状態を示す縦断面図である。
【符号の説明】
【００３８】
１      柱
２      間柱
３      窓まぐさ
４      窓台
５      透湿防水シート
６，７  縦縁（通気部材）
８      横縁（通気部材）
９      Ｈ型レール（レール）
１０    緩衝材（Ｃ型緩衝材）
１１    Ｌ型レール（レール）
１２    緩衝材（Ｕ型緩衝材）
１３    土台
１４    水切り
９ａ，１１ａ  定着板
９ｂ，１１ｂ  フランジ
９ｃ    ウエブ
９０    Ｈ型レール片（レール片）
１１０  Ｌ型レール片（レール片）
ＢＳ    延長部
ＣＶ，ＣＨ  切断側面（切断面）
ＦＤ    平坦下面（平坦面）
ＦＳ    平坦側面（平坦面）
ＦＵ    平坦上面（平坦面）
ＦＷ    木造躯体
ＧＤ    下面嵌合溝（嵌合溝）
ＧＳ    側面嵌合溝（嵌合溝）
ＧＬ    左側面嵌合溝（側面嵌合溝、嵌合溝）
ＧＲ    右側面嵌合溝（側面嵌合溝、嵌合溝）
ＧＵ    上面嵌合溝（嵌合溝）
Ｈ９，Ｈ１１  ビス止め穴（ビス穴）
Ｏ      窓開口部
ＯＵ    上縁
ＯＤ    下縁
Ｐａ    基本Ａパネル（基本パネル、石材パネル、パネル）
Ｐａ２，Ｐａ３，Ｐａ４  加工Ａパネル（加工パネル、石材パネル、パネル）
Ｐｂ    基本Ｂパネル（基本パネル、石材パネル、パネル）
Ｐｂ２，Ｐｂ３    加工Ｂパネル（加工パネル、石材パネル、パネル）
Ｐｄ    下部嵌合突起（嵌合突起）
Ｐｕ    上部嵌合突起（嵌合突起）
ＳＰ    間隔
ＷＥ    窓開口部側縁（外壁側縁、壁側縁、側縁）
【図１】
0003123846.tif 000003
【図２】
0003123846.tif 000004
【図３】
0003123846.tif 000005
【図４】
0003123846.tif 000006
【図５】
0003123846.tif 000007
【図６】
0003123846.tif 000008